(57)【要約】【課題】支柱に対して手摺をより確実に取り付けることができる、手摺の取付構造および手摺付き梯子を提供する。【解決手段】手摺付き梯子１０は、２本の支柱１２と、支柱１２間に段状に架け渡された複数の踏板と、支柱１２に取り付けられたパイプ状の手摺１６とを備える。手摺の取付構造においては、支柱１２に固定された固定部材３４の挟持面Ｂと挟持部材３６の挟持面Ｃとによって手摺１６が挟持され、固定部材３４および挟持部材３６に対して締結部材３０から締結力が付与される。したがって、固定部材３４および挟持部材３６と手摺１６との接触面積を広く確保することができ、手摺１６の取り付け強度を高めることができる。【選択図】                図７
2005016069.tif 000002
【特許請求の範囲】
【請求項１】
梯子を構成する支柱に対してパイプ状の手摺を取り付けるための手摺の取付構造であって、
前記手摺の外面に沿う挟持面を有し、前記支柱に固定された固定部材と、前記手摺の外面に沿う挟持面を有し、前記固定部材と協働して前記手摺を挟持する挟持部材と、前記固定部材と前記挟持部材とに締結力を付与する締結部材とを備える、手摺の取付構造。
【請求項２】
２本の支柱と、前記支柱間に段状に架け渡された複数の踏板と、前記支柱に取り付けられたパイプ状の手摺とを備える手摺付き梯子において、
前記手摺の外面に沿う挟持面を有し、前記支柱に固定された固定部材と、前記手摺の外面に沿う挟持面を有し、前記固定部材と協働して前記手摺を挟持する挟持部材と、前記固定部材と前記挟持部材とに締結力を付与する締結部材とによって前記手摺が前記支柱に取り付けられたことを特徴とする、手摺付き梯子。
【発明の詳細な説明】
【０００１】
【産業上の利用分野】
この発明は、梯子を構成する支柱に対してパイプ状の手摺を取り付けるための手摺の取付構造、およびパイプ状の手摺を有する手摺付き梯子に関する。
【０００２】
【従来の技術】
この種の手摺付き梯子は、２本の支柱と、支柱間に段状に架け渡された複数の踏板と、パイプ状の手摺とによって構成されており、従来、支柱に対して手摺を取り付ける際には、支柱および手摺のそれぞれに孔を形成し、これらの孔に支柱側からネジを通し、このネジを手摺の外側に配置されたナットや、手摺の内側に配置されたインナーピースに螺合するようにしていた（特許文献１参照）。
【０００３】
【特許文献１】
特開２００２‐２４２５６９号公報
【０００４】
【発明が解決しようとする課題】
上述の従来技術では、ネジの頭部と支柱との接触面積を十分に確保することができず、ネジの頭部から支柱に対して十分な締結力を作用させることが困難であった。また、支柱に対する手摺の取付部に過大な力が作用した場合には、この力がネジと支柱との接触部に局所的に作用するため、取付部が破損するおそれがあった。
【０００５】
それゆえに、この発明の主たる目的は、支柱に対して手摺をより確実に取り付けることができるとともに取付部の破損を防止することができる、手摺の取付構造および手摺付き梯子を提供することである。
【０００６】
【課題を解決するための手段】
請求項１に記載された発明は、「梯子１０を構成する支柱１２に対してパイプ状の手摺１６を取り付けるための手摺の取付構造であって、手摺１６の外面に沿う挟持面Ｂを有し、支柱１２に固定された固定部材３４と、手摺１６の外面に沿う挟持面Ｃを有し、固定部材３４と協働して手摺１６を挟持する挟持部材３６と、固定部材３４と挟持部材３６とに締結力を付与する締結部材３０とを備える、手摺の取付構造」である。
【０００７】
請求項２に記載した発明は、「２本の支柱１２と、支柱１２間に段状に架け渡された複数の踏板１４と、支柱１２に取り付けられたパイプ状の手摺１６とを備える手摺付き梯子１０において、手摺１６の外面に沿う挟持面Ｂを有し、支柱１２に固定された固定部材３４と、手摺１６の外面に沿う挟持面Ｃを有し、固定部材３４と協働して手摺１６を挟持する挟持部材３６と、固定部材３４と挟持部材３６とに締結力を付与する締結部材３０とによって手摺１６が支柱１２に取り付けられたことを特徴とする、手摺付き梯子１０」である。
【０００８】
請求項１および２に記載した発明では、支柱１２に対して固定部材３４が固定され、固定部材３４と挟持部材３６とによって手摺１６のみが挟持される。固定部材３４および挟持部材３６と手摺１６とは挟持面Ｂ，Ｃで接するので、これらの間に十分な接触面積を確保することができ、固定部材３４および挟持部材３６から手摺１６に対して十分な締結力を作用させることができる。また、固定部材３４と支柱１２とは、リベット４２等によって強固に接合することができる。
【０００９】
【発明の実施の形態】
図１および図２を参照して、本発明が適用された手摺付き梯子１０は、ロフトへの昇降を可能にするためのロフト梯子であり、２本の支柱１２と、支柱１２間に段状に架け渡された複数の踏板１４と、各支柱１２の上端部に取り付けられた手摺１６と、支柱１２に対して手摺１６を取り付けるための取付部材１８と、フック１９とを備える。
【００１０】
各支柱１２は、複数の踏板１４を支持するものであり、図３および図４に示すように、支柱本体２０と蓋体２２とによって構成される。
【００１１】
支柱本体２０は、図４に示すように、アルミニウム等のような高剛性材料によって略コ字状の断面を有する棒状に形成され、支柱本体２０における互いに対抗する対向辺部２０ａは、剛性を高めるために略半円状の断面を有する筒状に形成される。そして、各対向辺部２０ａの内側面には、蓋体２２の係止爪２２ｂが係止される突条２０ｂが長手方向へ延びて形成され、２つの対向辺部２０ａを連結する側辺部２０ｃには、図７に示すように、踏板１４（図５）を取り付けるためのネジ２４が挿通される孔２０ｄが形成される。
【００１２】
蓋体２２は、図４に示すように、支柱本体２０の側面に開かれた開口部２６（図３）を覆う長尺板状の蓋本体２２ａを有し、蓋本体２２ａの背面には、支柱本体２０の突条２０ｂに係止される係止爪２２ｂが長手方向へ延びて形成される。
【００１３】
そして、各支柱の両端部には、キャップ２７が装着される。
【００１４】
各踏板１４は、人が昇降する際に足または手が掛けられる部分となるものであり、図５に示すように、中空板状の踏板本体２８を含む。そして、踏板本体２８の両端部には、踏板本体２８を支柱本体２０に固定するためのネジ２４（図７）が螺合されるネジ穴２８ａが形成され、踏板本体２８の上面には、溝２８ｂが長手方向へ延びて形成され、溝２８ｂには、滑り止め部材３２が装着される。なお、踏板本体２８の表面または側面には、必要に応じて、注意を喚起するための蛍光材や光反射材等（図示省略）が取り付けられてもよい。
【００１５】
手摺１６は、人が昇降する際に手が掛けられる部分となるものであり、図６に示すように、パイプ状の部材を略Ｕ字状に曲げることによって形成される。手摺１６の両端部は、支柱１２の側面に沿うように一直線上に配置され、一方の端部には、ネジ３０（図３）が挿通される円形の孔１６ａが形成され、他方の端部には、ネジ３０（図３）が挿通される長円形の孔１６ｂが形成される。なお、いずれの端部に長円形の孔１６ｂを形成するかは、支柱１２に対して手摺１６を取り付ける手順により決定される。つまり、支柱１２に対して先に取り付けられる側の端部に円形の孔１６ａが形成され、後に取り付けられる側の端部に長円形の孔１６ｂが形成される。
【００１６】
取付部材１８は、図３および図７に示すように、支柱１２に対して手摺１６を取り付けるためのものであり、支柱１２に固定される固定部材３４と、固定部材３４と協働して手摺１６を挟持する挟持部材３６と、固定部材３４と挟持部材３６とに締結力を付与する「締結部材」としてのネジ３０と、固定部材３４の両端部に生じた開口部を塞ぐ蓋体３８および４０とによって構成される。
【００１７】
固定部材３４は、図７に示すように、支柱１２の側辺部２０ｃに沿う平坦面Ａを有する固定部４４ａと、手摺１６の外面に沿う挟持面Ｂを有する挟持部４４ｂとを含む中空板状の本体４４を備える。そして、本体４４の外側面には、支柱１２の突条２０ｂに当接される当接部４４ｃと略Ｌ状のリブ４４ｄとが長手方向の全長にわたって形成され、本体４４の内側面には、挟持部材３６の移動範囲を規定するための突条４４ｅと両端部にネジ４６が螺合される条溝４４ｆとが長手方向の全長にわたって形成される。さらに、挟持部４４ｂには、ネジ３０が挿通される孔４４ｇが形成される。
【００１８】
挟持部材３６は、図７に示すように、固定部材３４と協働して手摺１６を挟持するものであり、手摺１６の外面に沿う挟持面Ｃを有する略Ｕ字状の本体３６ａを含む。そして、本体３６ａには、固定部材３４の突条４４ｅと当接する突条３６ｂが長手方向の全長にわたって形成され、また、本体３６ａの所定箇所には、ネジ３０が螺合されるネジ穴３６ｃが形成される。挟持部材３６の長さは、固定部材３４と協働して手摺１６を強固に挟持し得るように、固定部材３４の長さとほぼ同じ長さ（たとえば１０ｃｍ）に設定される。
【００１９】
蓋体３８および４０は、図３に示すように、固定部材３４の端面形状に対応した形状を有する板状の蓋本体３８ａおよび４０ａを含み、蓋本体３８ａおよび４０ａには、ネジ４６が挿通される孔３８ｂおよび４０ｂが形成される。また、一方の蓋体４０を構成する蓋本体４０ａには、手摺１６が挿通される孔４０ｃが形成される。
【００２０】
取付部材１８を用いて手摺１６を支柱１２に取り付ける際には、まず、各支柱１２の所定箇所に、２つの開口部２６（図３）を確保する。続いて、この開口部２６から支柱本体２０の内部に固定部材３４を挿入し、これを支柱本体２０に対してリベット４２（図７）を用いて固定する。そして、固定部材３４の内部に挟持部材３６を挿入し、固定部材３４の両端部に蓋体３８および４０をネジ４６によって取り付ける。その後、一方の蓋体４０に形成された孔４０ｃから固定部材３４の内部に手摺１６の端部を挿入する。そして、固定部材３４の孔４４ｇおよび手摺１６の孔１６ａおよび１６ｂにネジ３０を通してこれを挟持部材３６のネジ穴３６ｃに螺合する。
【００２１】
この実施例によれば、固定部材３４および挟持部材３６と手摺１６とが挟持面ＢおよびＣで接するので、これらの間に十分な接触面積を確保することができ、固定部材３４および挟持部材３６から手摺１６に対して十分な締結力を作用させることができる。したがって、手摺１６の取り付け強度を高めることができる。また、取付部に過大な力が作用した場合でも、この力を接触面全体に分散させるこができるので、取付部の破損を防止することができる。さらに、手摺１６の一方端部には、ネジ３０（図３）が挿通される長円形の孔１６ｂ（図６）を形成しているので、手摺１６が変形した場合でも、ネジ３０と孔１６ｂとの間に位置ずれが生じるのを防止することができ、位置合わせが容易である。
【００２２】
なお、上述の実施例では、手摺１６の一方端部に円形の孔１６ａを形成し、他方端部に長円形の孔１６ｂを形成しているが、手摺１６の両端部に長円形の孔１６ｂを形成してもよい。また、固定部材３４と挟持部材３６とを２本のネジ３０で締結するようにしているが、これらを１本または３本以上のネジ３０で締結するようにしてもよい。
【００２３】
また、上述の実施例では、略円形の断面を有する手摺１６を用いているが、手摺１６の断面形状は適宜変更可能であり、四角形，楕円形または三角形等であってもよい。これらの場合でも、固定部材３４および挟持部材３６の挟持面ＢおよびＣは、手摺１６の外面に沿うように形成される。
【００２４】
そして、本発明は、ロフト梯子の他に、垂直梯子または引込梯子等のような他の梯子にも適用可能である。
【００２５】
【発明の効果】
請求項１および２に記載した発明によれば、固定部材と挟持部材とによって手摺のみを挟持するようにしており、しかも、固定部材および挟持部材と手摺とを挟持面で接触させるようにしているので、固定部材および挟持部材から手摺に対して十分な締結力を作用させることができる。したがって、支柱に対して手摺をより確実に取り付けることができる。また、固定部材および挟持部材と手摺との接触面積を十分に確保することができるので、手摺の取付部に作用する力を接触面全体に分散させることができ、取付部の破損を防止することができる。
【図面の簡単な説明】
【図１】手摺付き梯子を示す正面図である。
【図２】手摺付き梯子を示す側面図である
【図３】手摺の取付構造を示す斜視図である。
【図４】支柱を示す斜視図である。
【図５】踏板を示す斜視図である。
【図６】手摺を示す図である。
【図７】手摺の取付構造を示す断面図である。
【符号の説明】
１０…  手摺付き梯子
１２…  支柱
１４…  踏板
１６…  手摺
１６ａ…  円形の孔
１６ｂ…  長円形の孔
１８…  取付部材
３４…  固定部材
３６…  挟持部材
【図１】
2005016069.tif 000003
【図２】
2005016069.tif 000004
【図３】
2005016069.tif 000005
【図４】
2005016069.tif 000006
【図５】
2005016069.tif 000007
【図６】
2005016069.tif 000008
【図７】
2005016069.tif 000009